(57)【要約】【課題】安全手摺りの立柱を収納するための専用の収納場所を別途確保しなくてもよいと共に、取扱性及び安全性の優れたエレベーター用作業台の提供。【解決手段】上記課題は、昇降路壁１に固定したブラケット３に回動可能に支持した床板４と、一端をブラケット３に取り付け、かつ、他端を床板４に取り付けてその床板４を水平に保持する保持部材５と、床板４の自由端側に設けられた安全手摺りの立柱６とを備えたエレベーター用作業台において、安全手摺りの立柱６を、床板４上に倒すことができるように床板４に回動自在に取り付け、しかも、安全手摺りの立柱６にその立柱６が床板４上に立設された状態を固定するための固定具１０を設けると共に、その固定具１０を、床板４上に倒した安全手摺りの立柱６に取り付けて置くことによって、解決できる。【選択図】図１
2005343623.tif 000002
【特許請求の範囲】
【請求項１】
昇降路壁に固定した一対のブラケットと、このブラケットに回動可能に支持した床板と、一端を前記ブラケットに取り付け、かつ、他端を前記床板に取り付けて前記床板を水平に保持する保持部材と、前記床板の自由端側に設けられた安全手摺りの立柱とを少なくとも備えたエレベーター用作業台において、前記安全手摺りの立柱を、前記床板上に倒すことができるように前記床板に回動自在に取り付け、しかも、前記安全手摺りの立柱にその立柱が前記床板上に立設された状態を固定するための固定具を設けると共に、その固定具を、前記床板上に前記安全手摺りの立柱を倒した場合にその安全手摺りの立柱に取り付けて置くようにしたことを特徴とするエレベーター用作業台。
【請求項２】
前記固定具により、前記安全手摺りの立柱と前記床板の端縁に形成した立ち上り片とを挟持することで、前記安全手摺りの立柱が前記床板上に立設された状態を固定するようにしたことを特徴とする請求項１記載のエレベーター用作業台。
【請求項３】
前記安全手摺りの立柱を、支持軸によって、前記床板の端縁に形成した立ち上り片の隅部に回動自在に取り付けることにより、前記床板の立ち上り片の内壁に沿って倒して置けるようにしたことを特徴とする請求項１若しくは２記載のエレベーター用作業台。
【請求項４】
前記固定具を、前記安全手摺りの立柱の長手方向に沿って摺動可能となるように前記安全手摺りの立柱に挿入した角筒状の筒体と、前記安全手摺りの立柱が前記床板上に立設された状態にその立柱と前記床板の立ち上り片とを挟持するために前記筒体の対向する側面にそれぞれ設けた開口とから構成したことを特徴とする請求項１、２若しくは３記載のエレベーター用作業台。
【発明の詳細な説明】
【技術分野】
【０００１】
本発明は、エレベーター用作業台に関するものである。
【背景技術】
【０００２】
従来、エレベーターの昇降路内壁に設置された制御盤などの機器類を保守点検するエレベーター用作業台としては、昇降路壁に固定した一対のブラケットと、このブラケットに回動可能に支持した床板と、一端を前記ブラケットに取り付け、かつ、他端を前記床板に取り付けて前記床板を水平に保持する保持部材と、前記床板の自由端側に設けられた安全手摺りの立柱とを備えた構成のものが知られていた（特許文献１を参照）。
【特許文献１】特開２００３−１１２８７３号公報（段落番号０００８〜段落番号００１５、図１及び図６）
【発明の開示】
【発明が解決しようとする課題】
【０００３】
しかしながら、上記特開２００３−１１２８７３号公報に記載されたエレベーター用作業台では、床板（台板）の自由端側に設けた嵌合筒に、安全手摺りの立柱を単に嵌合させているだけであるため、安全手摺りの立柱が嵌合筒から外れてしまい、その安全手摺りの立柱が床板（台板）から昇降路内底に落下するという問題が発生する危険性があった。しかも、保守点検作業が終了した場合には、床板（台板）の嵌合筒から安全手摺りの立柱を外した後、その立柱を別途収納保管しなければならず、そのための収納保管場所を確保しなければならないという問題があった。
【０００４】
本発明は、上述した問題点に鑑みてなされたもので、その目的は、安全手摺りの立柱が昇降路内底に落下することなく、しかも、安全手摺りの立柱のための収納保管場所を別途必要とされることのない簡便なエレベーター用作業台を提供するにある。
【課題を解決するための手段】
【０００５】
上記目的を達成するために、請求項１に係わる本発明は、昇降路壁に固定した一対のブラケットと、このブラケットに回動可能に支持した床板と、一端を前記ブラケットに取り付け、かつ、他端を前記床板に取り付けて前記床板を水平に保持する保持部材と、前記床板の自由端側に設けられた安全手摺りの立柱とを少なくとも備えたエレベーター用作業台において、前記安全手摺りの立柱を、前記床板上に倒すことができるように前記床板に回動自在に取り付け、しかも、前記安全手摺りの立柱にその立柱が前記床板上に立設された状態を固定するための固定具を設けると共に、その固定具を、前記床板上に前記安全手摺りの立柱を倒した場合にその安全手摺りの立柱に取り付けて置く構成したことを特徴としている。
【０００６】
さらに、請求項２に係わる本発明は、固定具により、安全手摺りの立柱と前記床板の端縁に形成した立ち上り片とを挟持することで、安全手摺りの立柱が床板上に立設された状態を固定するようにしたことを特徴としている。
【０００７】
さらに、請求項３に係わる本発明は、安全手摺りの立柱を、支持軸によって、床板の端縁に形成した立ち上り片の隅部に回動自在に取り付けることで、前記床板の立ち上り片の内壁に沿って倒して置くようにしたことを特徴としている。
【０００８】
さらに、請求項４に係わる本発明は、固定具を、安全手摺りの立柱の長手方向に沿って摺動可能となるように安全手摺りの立柱に挿入した角筒状の筒体と、安全手摺りの立柱が床板上に立設された状態にその立柱と床板の立ち上り片とを挟持するために前記筒体の対向する側面にそれぞれ設けた開口とから構成したことを特徴としている。
【発明の効果】
【０００９】
請求項１に係わる本発明によれば、床板上に安全手摺りの立柱を、倒して収納することができ、安全手摺りの立柱のための収納保管場所を別途必要としないとともに、安全手摺りの立柱が床板に取り付けられているので、床板から安全手摺りの立柱が落下することがない安全なエレベーター用作業台を提供できる。
【００１０】
請求項２に係わる本発明によれば、安全手摺りの立柱と床板の立ち上り片とを挟持するという簡単な動作で、安全手摺りの立柱の立設状態を固定させることを可能にするエレベーター用作業台を提供できる。
【００１１】
請求項３に係わる本発明によれば、床板から安全手摺りの立柱を落下させることなく、床板の立ち上り片の内壁に沿ってコンパクトに安全手摺りの立柱を収納させることを可能にするエレベーター用作業台を提供できる。
【００１２】
請求項４に係わる本発明によれば、固定具の筒体を上方に移動させることで安全手摺りの立柱を床板上に倒すことができ、かつ、固定具の筒体を下方に移動させることで、安全手摺りの立柱の立設状態を固定することができるので、安全手摺りの立柱の収納作業及び設置作業が簡単となるエレベーター用作業台を提供できる。
【発明を実施するための最良の形態】
【００１３】
以下、本発明に係るエレベーター用作業台の実施形態を図面に基づいて説明する。図１は、本発明の一実施形態に係わるエレベーター用作業台を昇降路に設置した状態を示す全体側面図である。図２は、本発明の一実施形態に係わるエレベーター用作業台に用いられる固定具の取り付け手順を示す全体側面図である。図３は、本発明の一実施形態に係わるエレベーター用作業台の安全手摺りの立柱を固定具で設置する手順を説明するための要部斜視面図である。図４は、本発明の一実施形態に係わるエレベーター用作業台の安全手摺りの立柱を固定具で固定した状態を示す要部拡大断面図（図３のＸ−Ｘ断面図）である。図５は、本発明の一実施形態に係わるエレベーター用作業台の安全手摺りの立柱及び固定具の収納状態を示す要部斜視面図である。
【００１４】
図１に示すように、エレベーターの昇降路壁１に取り付けられるエレベーター用作業台２は、昇降路壁１に固定した鋼材からなる一対のブラケット３と、このブラケット３に回動可能に支持した平板状の鋼材からなる床板４と、一端をブラケット３に取り付け、かつ、他端を床板４に取り付けて床板４を水平に保持する保持部材５と、床板４の自由端側（反昇降路壁側）４Ａに設けられた安全手摺りの立柱６とを少なくとも備えた構成にしてある。
【００１５】
エレベーター用作業台２は、図１に示すように、床板４に乗った保守作業者７が昇降路壁１に取り付けたエレベーター用制御盤８の保守点検が可能な高さ位置に設けられている。一対のブラケット３は、図１及び図２に示すように、アンカーボルトなどで昇降路壁１に固定されている。床板４の昇降路壁側の辺を除く３辺の端縁のうち、床板４の自由端側（反昇降路壁側）の端縁には、立ち上り片４Ｂが、かつ、床板４の左右両側面の端縁には、立ち上り片４Ｃが、それぞれ形成されている。安全手摺りの立柱６は、角材からなり、その立柱６の下端側に支持軸９を設け、この支持軸９を立ち上り片４Ｃの隅部に回動自在に取り付けることにより、床板４の立ち上り片４Ｃの内壁に沿って倒し置けるようにしてある。
【００１６】
安全手摺りの立柱６には、図１、図３及び図４に示すように、床板４上で立設状態を固定するための固定具１０が設けられている。固定具１０は、図３、図４及び図５に示すように、鋼材からなり、角筒状の両端を開放させてなる筒体１０Ａと、立柱６と床板４の立ち上り片４Ｂとを挟持するために筒体１０Ａの対向する側面にそれぞれ設けた開口１０Ｂとから構成されている。固定具１０は、その筒体１０Ａに安全手摺りの立柱６が挿入されて、しかも、安全手摺りの立柱６の長手方向に沿って摺動可能となるように設けられている。固定具１０を、安全手摺りの立柱６に取り付けるには、安全手摺りの立柱６の上端から固定具１０の筒体１０Ａを挿入すればよい。
【００１７】
固定具１０の開口１０Ｂは、図３及び図４に示すように、床板４上で立設状態にした安全手摺りの立柱６及び床板４の立ち上り片４Ｂを挟持することのできる大きさ及び形状に形成されている。安全手摺りの立柱６は、固定具１０の開口１０Ｂによって、安全手摺りの立柱６及び床板４の立ち上り片４Ｂを挟持することで、支持軸９を回動軸として回動することが阻止される。
【００１８】
安全手摺りの立柱６の長さ及び形状は、その立柱６が床板４の立ち上り片４Ｂよりも上方に飛び出さない状態で床板４の立ち上り片４Ｃの内壁に沿って折り畳まれるように設定してある。具体的には、安全手摺りの立柱６の長さは、床板４の側面の長さよりも短く設定されている。
【００１９】
上記構成のエレベーター用作業台２における安全手摺りの立柱６を立設した状態で固定させるには、始めに、図２の矢印Ｐのように、支持軸９を回動軸として立柱６を回動させることで、立柱６を立設させた後、立柱６に予め挿入してある固定具１０を、図３に示すように（点線から実線になるように）、一番下まで下降させて、その固定具１０の開口１０Ｂにより、安全手摺りの立柱６及び床板４の立ち上り片４Ｂを、一緒に挟持すれば、安全手摺りの立柱６の立設状態が確実に固定される。
【００２０】
次に、床板４に立設した安全手摺りの立柱６を床板４上に収納させるには、始めに、固定具１０を、図３に示すように（実線から点線になるように）、上昇させて、安全手摺りの立柱６及び床板４の立ち上り片４Ｂを挟持した状態を解除させる。その後、支持軸９を回動軸として立柱６を回動させて倒せば、図５に示すように、安全手摺りの立柱６が立ち上り片４Ｃの内壁に沿った状態で床板４上に難なく収納される。
【００２１】
上記実施形態のエレベーター用作業台２によれば、固定具１０を摺動させて安全手摺りの立柱６及び床板４の立ち上り片４Ｂを挟持することにより、確実に、かつ短時間に、床板４に安全手摺りの立柱６を立設した状態で固定することができる。
【００２２】
さらに、上記実施形態のエレベーター用作業台２によれば、安全手摺りの立柱６が立ち上り片４Ｃの内壁に沿って床板４上に収納されるので、エレベーター用作業台２以外の場所に、安全手摺りの立柱６を収納するための収納場所を確保する必要がなく、便利である。また、安全手摺りの立柱６は、その下端側に設けた支持軸９により、立ち上り片４Ｃの隅部に回動自在に取り付けられており、立ち上り片４Ｃから外れることがないので、昇降路内底に落下することなく、安全である。
【００２３】
さらに、固定具１０を上下に摺動させることで、安全手摺りの立柱６を立設した状態の固定及びその固定の解除をおこなうことができ、取扱性が優れている。また、固定具１０は、角筒状の筒体１０Ａと、この筒体１０Ａの対向する側面にそれぞれ設けた開口１０Ｂとからなっており、きわめて簡単な構成であるので、生産性が優れている。
【００２４】
さらに、固定具１０は、安全手摺りの立柱６が立ち上り片４Ｃの内壁に沿って床板４上に収納された際、その倒された安全手摺りの立柱６に取り付けられていて、安全手摺りの立柱６と一緒に床板４上に収納されるので、固定具１０を収納するための収納場所を別途確保する必要がなく、便利である。また、固定具１０の筒体１０Ａを上方に移動させることで安全手摺りの立柱６を床板４上に倒すことができ、かつ、固定具１０の筒体１０Ａを下方に移動させることで、安全手摺りの立柱６の立設状態を固定することができるので、安全手摺りの立柱６の収納作業及び設置作業を、未熟な保守作業者７であっても、難なく行うことができる。
【００２５】
上記実施形態のエレベーター用作業台２では、安全手摺りの立柱６の下端側に設けた支持軸９を床板４の立ち上り片４Ｃの隅部に回動自在に取り付けるようにしているが、これに限定されない。床板４の立ち上り片４Ｃの隅部に支持軸９を取り付けて、その支持軸９に安全手摺りの立柱６を回転自在に取り付けるようにしてもよい。
【図面の簡単な説明】
【００２６】
【図１】本発明の一実施形態に係わるエレベーター用作業台を昇降路に設置した状態を示す全体側面図である。
【図２】本発明の一実施形態に係わるエレベーター用作業台に用いられる固定具の取り付け手順を説明するための全体側面図である。
【図３】本発明の一実施形態に係わるエレベーター用作業台の安全手摺りの立柱を固定具で設置する手順を説明するための全体側面図である。
【図４】図３のＸ−Ｘ断面図である。
【図５】本発明の一実施形態に係わるエレベーター用作業台の安全手摺りの立柱及び固定具の収納状態を示す要部斜視面図である。
【符号の説明】
【００２７】
１    エレベーターの昇降路壁
２    エレベーター用作業台
３    一対のブラケット
４    床板
４Ａ  自由端側（反昇降路壁側）
４Ｂ、４Ｃ  立ち上り片
５    保持部材
６    安全手摺りの立柱
７    保守作業者
８    エレベーター用制御盤
９    支持軸
１０  固定具
１０Ａ  筒体
１０Ｂ  開口
【図１】
2005343623.tif 000003
【図２】
2005343623.tif 000004
【図３】
2005343623.tif 000005
【図４】
2005343623.tif 000006
【図５】
2005343623.tif 000007